(57)【要約】【課題】従来の引き戸錠は、引き戸の移動を阻止する移動阻止板と係合板をベース板に対してスライド可能にするために多数の部品を要し、生産上においては多数の工程を要し、また操作上、意匠上も難点があった。【解決手段】移動阻止板に軸支される係合板の穴、ボス等を案内しながら係合を解除可能な可撓性操作部材を設けて、さらにその可撓性操作部材により係合板を抑えながら維持する構成した。【選択図】図２
2010112137.tif 000002
【特許請求の範囲】
【請求項１】
部屋の外側引き戸に固着されるベース板と、該ベース板に設けられたガイド部により案内されて、引き戸の移動方向にスライドする移動阻止板と、該移動阻止板上に軸支され前記ベース板に設けられた係止溝に係合する係合板と、該係合板を係止解除位置に回動させる係合板退避手段とを有する引き戸錠であって、前記係合板退避手段は前記係合板に設けられた長穴または溝に挿入されるボスを有する可撓操作部材であることを特徴とする引き戸錠。
【請求項２】
部屋の外側引き戸に固着されるベース板と、該ベース板に設けられたガイド部により案内されて、引き戸の移動方向にスライドする移動阻止板と、該移動阻止板上に軸支され前記ベース板に設けられた係止溝に係合する係合板と、該係合板を係止解除位置に回動させる係合板退避手段とを有する引き戸錠であって、前記係合板退避手段は前記係合板に設けられたボスを案内する長穴または溝を有する可撓操作部材であることを特徴とする引き戸錠。
【請求項３】
前記可撓操作部材は、弾性変形可能な材料からなり、外から力をくわえることにより弾性変形して、前記係合板を前記係止解除位置まで回動させることを特徴とする請求項１または２項記載の引き戸錠。
【請求項４】
前記可撓操作部材は、前記係合板を挟んで前記移動阻止板に固定され、先端部に前記移動阻止板の角穴に挿入される突起を有することを特徴とする請求項３項記載の引き戸錠。
【発明の詳細な説明】
【技術分野】
【０００１】  本発明は、広義の概念で言えば、住宅等の引き戸に補助的に用いられる引き戸錠に関するものである。
【背景技術】
【０００２】  召し合わせ框を有する障子構造の引き違い戸において、部屋の外側引き戸の横框にビスあるいは粘着テープで固定され、内側引き戸の召し合せ部の竪框部分に移動阻止手段を当接させて内側外側の両方の引き戸を外から開けられないようにする引き戸錠は、ひろく提供されている。これらの引き戸錠においては、爪が係合する係止溝が形成されており外側引き戸に固着されるベース板と、そのベース板にスライドかつ抜き差し可能に保持される移動阻止板と、移動阻止板上に回動自由に軸支されベース板の係止溝に係合する爪を持った係合板と、その係合板を付勢するバネと、その係合板とバネを押さえるカバーと、そのカバーに軸支され係合板を係止解除位置に回動させるカム板と操作板から構成されており、操作板を回しながら係止解除と同時にスライドさせて施錠する構成が、ひろく用いられている。
【発明の開示】
【発明が解決しようとする課題】
【０００３】  これら従来の実施例においては、移動阻止板に軸支されてベース板に設けられた係止溝に係合する係合板を、係止位置と係止解除位置の間で回動可能とし、その係合板を係止位置方向に付勢するバネを配し、かつ、係合板の一部に突起を設けて、その突起に当接しながら回転し係合板を係止解除位置方向に回動させるカム板と、そのカム板を軸支し係合板とバネをベース板との間に挟んで押さえるカバーと、カム板と同軸にカバーの穴に軸支されてカム板をまわす操作板が必要なため部品点数が多く、係合板、バネをベース板とカバーの間で、厚さ方向に踊らないようにはさみこんだ後、ベース板とカバーを、折り曲げ爪等の手段で一体に組み立てていたため、組立に時間、手間、熟練を要していた。【０００４】  このカム板と操作板は、配置上の条件から、カバーの表と裏に分かれてカバーの穴に同軸に軸支されながら一体化されるため、カバーの穴に嵌合させて、回転の確実性と外観上のスキマふさぎを目的とした挽き物の化粧リングが設けられている。【０００５】  さらに係合板、バネ、カム板、操作板はプレスで抜かれた板状の部品であり、せん断面のバリ取りを行う必要があり、部品製作に手間を要している。【０００６】  操作板は指で摘まんで回転させる必要から、カム板に対して直交させて固定することが必要で、その突起部分をカム板のスリットにくぐらせて、突起部分の端面をパンチでつぶすカシメ等の手段で、カム板と固定しており、組立にさいしても、手間、熟練を要していた。【０００７】  本発明は、上述のような多数の部品点数を削減し、部品製作、組立に関わる工数を削減し、また操作性を向上させ、意匠上も自由度が大きい引き戸錠を提供することを目的としている。
【課題を解決するための手段】
【０００８】  本発明によると上記課題は次のようにして解決される。
外側引き戸に固着されるベース板と、前記ベース板のコの字状に曲げられたガイド部によってガイドされ、引き戸の移動方向にスライドかつ抜き差し可能に支持された移動阻止板と、前記移動阻止板上に軸支され前記ベース板に設けられた係止溝に係合し内側引き戸の移動を阻止する係合板と、前記係合板を係止解除位置に回動させる退避手段を備えた引き戸錠において、前記係合板に設けられた長穴または溝に挿入され前記係合板を回動させるボスを有し前記移動阻止板上に固定される可撓操作部材を設けて、前期可撓操作部材の変位により前記係合板を前記係止解除位置に回動させる。【０００９】  前記係合板は、前記長穴または前記溝の代わりにボスを有し、該ボスを案内する長穴または溝を前記可撓操作部材に設けてもよい。【００１０】  前記可撓操作部材は、指ではさむ等の外力が加えられて弾性変形し、動かされることにより、前記移動阻止板、前記係合板と一体となって、前期ベース板に対してスライドし、内側引き戸の召し合わせ部竪框に当接させた後に、指を離す等により外力が無くなると前記可撓操作部材の弾性変形がもとの位置に復帰し、前記係合板は前記ベース板に設けられた前期係止溝に係合して、内側、外側両方の引き戸の移動を阻止する。【００１１】  前記可撓操作部材は、前記係合板を厚さ方向にわずかの隙間を保持しつつ挟んで前記移動阻止板上に固定され、前記移動阻止板の角穴にくぐりこむ突起が先端に設けられており、前記可撓操作部材が弾性変形する際に懸念される浮き上がりを防止し、前記係合板を確実に厚さ方向に規制している。
【発明の効果】
【００１２】  本発明による引き戸錠によれば、前述したとおり、４点から５点の部品点数を要していた係合板の係止退避手段、移動阻止板のスライド手段を、弾性材からなる部品ひとつでまかなうことが可能で、著しく製造コストを削減できる。【００１３】  また本発明の引き戸錠によれば、指で挟む動作で係合板の係止、およびその解除が可能で、摘んだまま一体となった移動阻止板をスライドさせることにより施錠できるため、施錠動作が簡単で明瞭である。【００１４】  また本発明の引き戸錠によれば、弾性変形させられる可撓操作部材は、その先端に形成された突起が、移動阻止板の角穴に案内されて浮きあがらないように保持され、係合板を回動可能な状態で厚さ方向を規制しながら挟むので、振動を加えられても係合板が脱落するようなことが無く、確実な施錠が可能である。
【発明を実施するための最良の形態】
【００１５】  最初に、従来例の構成を詳しく説明する。【００１６】  図１は従来の引き戸錠の一例を示す斜視図であり、必要に応じて分解された状態で画いてある。【００１７】  外側の引き戸の召し合わせ部分の竪框１と一体の外側の引き戸の横框２に、ベース板５がビスあるいは粘着テープで固着される。ベース板５の上下にはコの字状に曲げられてガイド部５ａが形成され、係止溝５ｂが引き戸の移動する左右方向に複数並んで配置されている。【００１８】  引き戸錠の移動阻止板６は図のように右側が曲げられて、阻止部６ｃとして内側の引き戸の召し合わせ部分の竪框３に当接する。また内側の引き戸の横框４と内側の引き戸の召し合せ部分の竪框３は一体である。移動阻止板６には、突き出しで設けられた軸６ａ、角穴６ｂ、前記ベース板５のガイド部５ａに差し込まれる端部６ｄが形成されている。【００１９】  係合板７はその嵌合穴７ｂが移動阻止板６の軸６ａに嵌合し軸支され、またベース板５の係止溝５ｂに落ち込む爪７ａと突起７ｃを有する。また係合板７は板状のバネ８によって、時計回転方向に付勢される。【００２０】  カム板９には、係合板７の突起７ｃに当接してバネ８に抗して係合板７を半時計方向にまわす作用部分９ａとスリット９ｂが設けられている。【００２１】  操作板１２の差込部１２ａを化粧リング１１の通し角穴１１ｂに通し、さらに化粧リング１１のガイド軸部１１ａをカバー１０のガイド穴１０ａに挿入嵌合し、カム板９のスリット９ｂを操作板１２の差込部１２ａに差し込んで端面１２ｂをパンチでつぶす。【００２２】  その結果、カム板９、化粧リング１１、操作板１２は一体となって  カバー１０に軸支される。【００２３】  その後、移動阻止板６とカバー１０の間に、係合板７、バネ８を挟みながら、カバー１０の出っ張り１０ｃを移動阻止板６の角穴６ｂに差込んだ後カバー１０の爪部１０ｂを、移動阻止板６を抱き込みながら曲げる。【００２４】  移動阻止板６、係合板７、バネ８、カム板９、カバー１０、化粧リング１１、操作板１２は一体に組まれ矢印Ｄに沿ってベース板５のガイド部５ａに差し込まれ係合板７の爪７ａがベース板５の係止溝５ｂに落ち込むことで、移動阻止板６が移動できなくなり、前記の通り内側の引き戸の召し合せ部分の竪框３の移動を阻止する。【００２５】  上述の通り、従来例は部品点数が多く、また組立に工数を要する。【００２６】  本発明は、従来例のバネ８、カム板９、カバー１０、化粧リング１１、操作部板１２を弾性を有したひとつの部材で代替したものである。
【実施例】
【００２７】図２〜図６を用いてその実施例のひとつを説明する。【００２８】図２は本発明のひとつの実施例の斜視図である。
ベース板５は従来例と同様、ガイド部５ａ、係止溝５ｂを有し、また端部６ｄが上記ガイド部５ａに差し込まれるのも同様である。また爪７ａが係止溝５ｂに係合するのも同様である。
また、図１における、ベース板の固定、内側引き戸の動きの阻止も従来例と同様であるので、図２においては省略している。【００２９】図３は、ベース板５の側からみた分解状態の斜視図で、ベース板５は省略している。【００３０】  係合板７はその嵌合穴７ｂが、移動阻止板６の一部を突き出し形成された軸６ａに嵌合し軸支される。図では軸６ａは突き出しの反対側からみている。さらに係合板７には長穴７ｄが設けられている。【００３１】可撓操作部材１３には、前記長穴７ｄに挿入されるボス１３ａが設けられ、段付き底面１３ｄで係合板７を、その厚さ方向にわずかの隙間を維持しながら軽く押さえて、移動阻止板６のサラ穴６ｅからネジ穴１３ｃにサラビスをねじ込んで、可撓操作部材１３は移動阻止板６に固定される。【００３２】その結果、移動阻止板６、係合板７、可撓操作部材１３は一体となる。【００３３】  図４は上記の通り一体となったものを、別の角度からみた斜視図である。可撓操作部材１３は右半身１３ｅと左半身１３ｆとが一端でつながり、Ｕの字型を成している。右半身１３ｅと左半身１３ｆはそれぞれ、使用者の人差し指と親指で挟まれ、その状態で指に力をいれると、容易に弾性変形する。【００３４】  また、この変形に伴って、左半身１３ｆが浮き上がることが無いように、突起１３ｂが、移動阻止板６の角穴６ｂに入って上下の動きを規制されている。【００３５】  図５は  可撓操作部材１３の弾性変形状態を示す上面図である。
可撓操作部材１３の下面に設けられたボス１３ａは、係合板７の長穴７ｄに挿入され長穴７ｄを案内するので、可撓操作部材１３の左半身１３ｆが変形すると、係合板７はその嵌合穴７ｂを中心として反時計方向に回され、その結果爪７ａとベース板５の係止溝５ｂの係止が解除される。従って、可撓操作部材１３の右半身１３ｅと左半身１３ｆを前記の通り、指で挟んで動かすだけで、移動阻止板６は、ベース板５に対して、スライドかつ抜き差し可能になる。【００３６】  図６は係止状態に作用する力の方向をしめした上面図であり可撓操作部材１３は省略している。ベース板５の係止溝には線Ｇに示す角度の斜面が形成されているが、点ＧＰに於ける移動阻止板が左に押される力の反力は、矢印Ｆの方向に作用し、係合板７の嵌合穴７ｂの中心を回転中心として時計方向の回転モーメントを生じさせる。
従って、引き戸を開けようとする力は、係合板７を時計方向に回動させるので、施錠した状態で引き戸を開けようとする外力により係止溝５ｂと爪７ａの係合が外れることは無い。【００３７】  また、図５に示す通り、可撓操作部材１３のボス１３ａは長穴７ｄで上下方向だけ規制されており、前記の引き戸を開けようとする外力が、ボス１３ａに作用することは無い。【００３８】  ベース板５、移動阻止板６、係合板７は金属からなり高い強度を有するが、前述の通り、引き戸を開けようとする外力が可撓操作部材１３に作用することは無いので、可撓操作部材１３をＰＣ等の弾性に優れ、高し引っ張り強度を  有する樹脂で成型することが可能になる。
また、可撓操作部材１３を弾性変形させるのは、施錠のため移動阻止板６を動かす瞬間だけであり、施錠中は、変形による内部応力は存在しない。
図６の係合板７の長穴７ｄの位置に対応する可撓操作部材１３のボス１３ａは、成型された状態の位置で係合板７を係止位置に保持しているだけである。
上記の通り、可撓操作部材１３にたいしては大きな外力が働かず、従ってクリープの影響も無いので、樹脂で成型するこが可能である。
また同時に樹脂の成型自由度により、挟んで摘む部分の意匠の自由度が大きく、操作性も良好なものを提供可能である。【００３９】  図７、図８は本発明のもうひとつの実施例をしめす斜視図で、それぞれ分解された状態で異なる角度から見ている。【００４０】  図７に示すように可撓操作部材１３には長溝１３ｇが設けられ、図８に示す係合板７のボス７ｅが挿入される。従って、係合板７は可撓操作部材１３の左半身１３ｆの変形によって回動させられる。【００４１】  図８に示すように可撓操作部材１３の右半身１３ｅは、移動阻止板６に固定される可撓操作部材１３の円筒部１３ｈと、角度Ｈにしめす広い範囲でつながっており、指で挟まれても変形はしない。【００４２】  その他の構成は図２から図６までを用いて説明した前述の実施例と  同様であるので、説明を省略する。
【産業状の利用可能性】
【００４３】  以上の発明によれば、従来例に対して部品点数を半減させることが可能で、安価で使いやすい引き戸錠を提供することができる。
【図面の簡単な説明】
【００４４】
【図１】従来例の分解斜視図である。
【図２】本発明の実施例の斜視図である。
【図３】図２を違う角度からみて分解した斜視図である。
【図４】図２を図３と違う角度からみた斜視図である。
【図５】施錠をするため動かした状態の図２の上面図である。
【図６】施錠中の部品の位置、力作用関係を示す図２の上面図である。
【図７】本発明のもうひとつの実施例をしめす分解状態の斜視図である。
【図８】図７を異なる角度からみた斜視図である。
【符号の説明】
【００４５】  １  外側の引き戸の召し合わせ部分の竪框
２  外側の引き戸の横框
３  内側の引き戸の召し合わせ部分の竪框
４  内側の引き戸の横框
５  ベース板    ５ａ  ガイド部    ５ｂ  係止溝
６  移動阻止板    ６ａ  軸    ６ｂ  角穴    ６ｃ  移動阻止部    ６ｄ  端部
６ｅ  サラ穴
７  係合板    ７ａ  爪    ７ｂ  嵌合穴    ７ｃ  突起    ７ｄ  長穴
７ｅボス
８  バネ
９  カム板    ９ａ  作用部分    ９ｂ  スリット
１０  カバー    １０ａ  ガイド穴    １０ｂ  爪部    １０ｃ  出っ張り
１１  化粧リング    １１ａ  ガイド軸部      １１ｂ  通し各穴
１２  操作板    １２ａ  差込部    １２ｂ  端面
１３  可撓操作部材    １３ａ  ボス    １３ｂ  突起    １３ｃ  ネジ穴
１３ｄ  段付き底面    １３ｅ  右半身    １３ｆ  左半身
１３ｇ  長溝    １３ｈ  円筒部
Ｄ、Ｆ  矢印
ＧＰ    点
Ｇ      線
Ｈ      角度
【図１】
2010112137.tif 000003
【図２】
2010112137.tif 000004
【図３】
2010112137.tif 000005
【図４】
2010112137.tif 000006
【図５】
2010112137.tif 000007
【図６】
2010112137.tif 000008
【図７】
2010112137.tif 000009
【図８】
2010112137.tif 000010